(57)【要約】【課題】ＰＩＲセンサーを取り外したあと、普通のＬＥＤ電球として用いられるので、制御機能が多くなり、応用範囲も広くなるセンサー式ＬＥＤ電球を提供する。  【技術手段】オス型口金、筐体、ＬＥＤ、ライト板とＰＩＲセンサーを備えてなり、オス型口金は筐体の上端に、ＬＥＤとライト板はどれも在筐体の下方に設けられ、ライト板は該ＬＥＤを覆うように設けられているが、該筐体内にはコントローラがあり、該筐体にまた時間調節スイッチと環境明るさ調節スイッチが設けられ、該ＰＩＲセンサーは取外し式構造であり、該ＰＩＲセンサーは筐体の下方に設けられ、ＰＩＲセンサーは該ライト板にはみだし、該コントローラはＬＥＤ、ＰＩＲセンサー、時間調節スイッチと環境明るさ調節スイッチと電気的に接続していることを特徴とする。【選択図】  図１
2012134062.tif 000002
【特許請求の範囲】
【請求項１】
オス型口金（１）、筐体（２）、ＬＥＤ、ライト板（３）とＰＩＲセンサー（４）を備えてなり、オス型口金（１）は筐体（２）の上端に、ＬＥＤとライト板（３）はどれも、筐体（２）の下方に設けられ、ライト板（３）は該ＬＥＤを覆うように設けられているが、該筐体（２）内にはコントローラがあり、該筐体（２）にまた時間調節スイッチと環境明るさ調節スイッチが設けられ、該ＰＩＲセンサー（４）は取外し式構造であり、該ＰＩＲセンサー（４）は筐体（２）の下方に設けられ、ＰＩＲセンサー（４）は該ライト板（３）にはみだし、該コントローラは、ＬＥＤ、ＰＩＲセンサー（４）、時間調節スイッチと環境明るさ調節スイッチと電気的に接続していることを特徴とするセンサー式ＬＥＤ電球。
【請求項２】
また、筐体（２）の下端に設けられているアルミ放熱フレーム（５）を備えてなり、該ＬＥＤは該アルミ放熱フレーム（５）に、該ライト板（３）はアルミ放熱フレーム（５）の下方に設けられていることを特徴とする請求項１に記載のセンサー式ＬＥＤ電球。
【請求項３】
該アルミ放熱フレーム（５）の外周には、放熱槽が設けられていることを特徴とする請求項２に記載のセンサー式ＬＥＤ電球。
【請求項４】
該アルミ放熱フレーム（５）は、アルミ板であることを特徴とする請求項２に記載のセンサー式ＬＥＤ電球。
【請求項５】
更に、電球明るさ調節リモコンを備えてなり、該電球明るさ調節リモコンはワイヤレスで、該コントローラに接続するように設けられていることを特徴とする請求項１に記載のセンサー式ＬＥＤ電球。
【請求項６】
該ＬＥＤは、ハイパワーＬＥＤであることを特徴とする請求項１に記載のセンサー式ＬＥＤ電球。
【請求項７】
該ライト板（３）は方形カバーで、該ＬＥＤはハイパワーＬＥＤであることを特徴とする請求項１から６のいずれかに記載のセンサー式ＬＥＤ電球。
【請求項８】
該ライト板（３）は、円柱形カバーであることを特徴とする請求項１から６のいずれかに記載のセンサー式ＬＥＤ電球。
【請求項９】
該ライト板（３）は、球形カバーであることを特徴とする請求項１から６のいずれかに記載のセンサー式ＬＥＤ電球。
【発明の詳細な説明】
【技術分野】
【０００１】
本発明は、ＬＥＤ電球の技術分野に関わり、特にセンサー式ＬＥＤ電球に関する。
【背景技術】
【０００２】
照明灯は、都市の道路、庭、通路、ガレージ、事務所、公衆場所などの照明に広く使用され、人々の生活に多くの利便性を提供している。よく使用される電球タイプは、例えば、タングステン電球、日光灯とＬＥＤ電球などがあり、そのなか、ＬＥＤ電球は、、高効率、安全、省エネ、環境にやさしく、使用寿命が長く、応答速度が速いなどのメリットがあり、次第に最も広く用いられている。  
【０００３】
従来のＬＥＤ電球は、普通のＬＥＤ電球とセンサー式ＬＥＤ電球の二種があり、普通のＬＥＤ電球は、スイッチがＬＥＤの点灯または消灯を制御しているが、センサー式ＬＥＤ電球は、音声検知ユニットまたは光検知ユニットで、ＬＥＤ点灯または消灯を制御している。よく用いられるのは、ＰＩＲセンサー（Ｐａｓｓｉｖｅ  Ｉｎｆｒａｒｅｄ  Ｒａｄｉａｔｉｏｎ）付きのセンサー式ＬＥＤ電球だが、該ＰＩＲセンサーの赤外線センサーは焦電素子で、人体から放出された赤外線強度の変化を受信したとき、電荷バランスの崩れが発生し、初めて外部へ電流を放出して、ＬＥＤ点灯または消灯を制御するために用いられる、人体からの感知信号を得ることになっているが、このようなセンサー式ＬＥＤ電球のＰＩＲセンサーは取り外せず、普通のＬＥＤ電球に用いられなく、制御機能が単一、応用範囲が限られている。
【発明の概要】
【発明が解決しようとする課題】
【０００４】
本発明は、従来の技術の不十分なところについて、ＰＩＲセンサーを取り外したあと、普通のＬＥＤ電球として用いられ、制御機能が多く、応用範囲が広いというセンサー式ＬＥＤ電球を提供することを目的とする。
【課題を解決するための手段】
【０００５】
上述の目的を実現させるため、本発明は次のような技術手段で実施されるが、オス型口金、筐体、ＬＥＤ、ライト板とＰＩＲセンサーを備えてなり、オス型口金は筐体の上端に、ＬＥＤとライト板はどれも在筐体の下方に設けられ、ライト板は該ＬＥＤを覆うように設けられているが、該筐体内にはコントローラがあり、該筐体にまた時間調節スイッチと環境明るさ調節スイッチが設けられ、該ＰＩＲセンサーは取外し式構造であり、該ＰＩＲセンサーは筐体の下方に設けられ、ＰＩＲセンサーは該ライト板にはみだし、該コントローラはＬＥＤ、ＰＩＲセンサー、時間調節スイッチと環境明るさ調節スイッチと電気的に接続していることを特徴とするセンサー式ＬＥＤ電球。
また、筐体の下端に設けられたアルミ放熱フレームを備えてなり、該ＬＥＤは該アルミ放熱フレームに、該ライト板はアルミ放熱フレームの下方に設けられている。
該アルミ放熱フレームの外周には、放熱槽が設けられている。
該アルミ放熱フレームはアルミ板である。
更に、電球明るさ調節リモコンを備えてなり、該電球明るさ調節リモコンはワイヤレスで、該コントローラに接続している。
該ＬＥＤは、ハイパワーＬＥＤである。
該ライト板は、方形カバーである。
該ライト板は、円柱形カバーである。
該ライト板は、球形カバーである。
【発明の効果】
【０００６】
本発明は、該筐体内にはコントローラがあり、該筐体にまた時間調節スイッチと環境明るさ調節スイッチが設けられ、ＰＩＲセンサー為取外し式構造であり、該ＰＩＲセンサーは筐体の下方に、ＰＩＲセンサーは該ライト板にはみだし、コントローラはＬＥＤ、ＰＩＲセンサー、時間調節スイッチと環境明るさ調節スイッチと電気的に接続していることを特徴とするセンサー式ＬＥＤ燈であり、上述した構造のセンサー式ＬＥＤ電球では、ＰＩＲセンサーは取外し式構造なので、ＰＩＲセンサーを取り外したあと、本発明の該センサー式ＬＥＤ電球は普通のＬＥＤ電球として用いられること、それに、時間調節スイッチは、ＬＥＤの動作時間の調整、すなわち、ＬＥＤが持続的に点灯する時間を調整できること、環境明るさ調節スイッチは、コントローラが環境の明るさにより、人体からの感知信号を得て、ＬＥＤを動作させるかを判断するのに用いられるため、本発明の該センサー式ＬＥＤ電球の制御機能が多くなり、応用範囲も広くなるという効果がある。
【図面の簡単な説明】
【０００７】
【図１】本発明の実施例一の構造イメージ図である。
【図２】本発明の実施例二の構造イメージ図である。
【発明を実施するための形態】
【０００８】
実施例一は、図１に示すように、オス型口金１、筐体２、ＬＥＤ、ライト板３、ＰＩＲセンサー４とアルミ放熱フレーム５を備えてなり、オス型口金１は筐体２の上端に、アルミ放熱フレーム５は筐体２の下端に、該ＬＥＤは該アルミ放熱フレーム５に、該ライト板３はアルミ放熱フレーム５の下方に設けられ、ライト板３は該ＬＥＤを覆うように設けられているが、該筐体２内にはコントローラがあり、該筐体２はまた時間調節スイッチと環境明るさ調節スイッチが設けられ、該ＰＩＲセンサー４は取外し式構造であり、該ＰＩＲセンサー４は筐体２の下方に、ＰＩＲセンサー４は該ライト板３にはみだし、該コントローラはＬＥＤ、ＰＩＲセンサー４、時間調節スイッチと環境明るさ調節スイッチと電気的に接続していることを特徴とするセンサー式ＬＥＤ電球を特徴とする。本実施例では、該ライト板３は円柱形カバーで、見た目がよく、そして、該オス型口金１はＥ２６型、Ｅ２７型またはＢ２２型などの口金にしてもよく、選択性が高い。
【０００９】
本実施例では、該ＬＥＤはハイパワーＬＥＤを採用し、ハイパワーＬＥＤなので、出力電力が大きくなり、より高い光が出力されるという特色がある。  
本実施例では、該アルミ放熱フレーム５の外周には放熱槽が設けられており、ハイパワーＬＥＤの動作温度がわりと高いので、アルミ放熱フレーム５の放熱性能がよくない場合、本発明の該センサー式ＬＥＤ電球の使用寿命と発光品質にマイナスな影響を及ぼすということで、アルミ放熱フレーム５の外周に放熱槽が設けられて、放熱性能が有効に改善され、それからセンサー式ＬＥＤ電球の使用寿命と発光品質が向上される。
【００１０】
本実施例では、本発明の該センサー式ＬＥＤ電球は更に、電球明るさ調節リモコンを備えてなり、該電球明るさ調節リモコンはワイヤレスで、該コントローラに接続しており、調節センサー式ＬＥＤ電球の動作時の明るさを調整するために用いられるものであり、該電球明るさ調節リモコンは、指向性制御または無指向性制御のリモコンに設けられてもよい。
【００１１】
以上は、本発明の該センサー式ＬＥＤ電球の主要構造になるが、次のような機能を持っており、１）ＰＩＲセンサー４の設置により、赤外線と熱電堆で、人体の温度を検知し、人体からの感知温度を得て、ＬＥＤの点灯または消灯を自動的に制御すること、２）該時間調節スイッチのセンサーにより、時間調節モードが行われるが、ＬＥＤの動作時間の調整、すなわち、ＬＥＤが持続的に点灯する時間を調整できるが、例えば、ＬＥＤの動作時間を１０秒に設定した場合、ＬＥＤ点灯が１０秒続くと、ＰＩＲセンサー４が再び人体温度をセンサーしてから、ＬＥＤが点灯または消灯状態になるかをコントローラで判断、制御すること、３）環境明るさ調節スイッチにより、環境明るさＬＵＸ調節モードが行われるが、環境の明るさから、人体からの感知信号を得た後、ＬＥＤを動作させるかをコントローラが判断するのに用いられるが、例えば、環境明るさ調節スイッチを昼モードにした場合、昼間の環境明るさという条件で、人体からの感知信号を得ているかにも関わらず、ＬＥＤがずっと消灯状態になるが、また、環境明るさ調節スイッチを夜モードにした場合、夜の環境明るさという条件で、人体からの感知信号を得て、ＬＥＤが点灯または消灯状態になるかを、コントローラで判断、制御すること、４）電球明るさ調節リモコンにより、センサー式ＬＥＤ電球の動作時の明るさを調節し、異なる世帯、状況のニーズに対応できること。このように、本発明の該センサー式ＬＥＤ電球は、多様な制御機能を有するもので、センサー式ＬＥＤ電球の応用範囲が有効に拡大され、また、ＰＩＲセンサー４は取外し式構造なので、ＰＩＲセンサー４を取り外したあと、本発明の該センサー式ＬＥＤ電球が普通のＬＥＤ電球として用いられる。
【００１２】
実施例二は、図２に示すように、実施例一との相違点と言えば、該ライト板３は方形カバーであり、それに、センサー式ＬＥＤ電球の外観設計全体も異なるということ。もちろん、本発明の該ライト板３は、お好きな形状、例えば、球形カバーなどに設けられてもよい。本実施例では、該アルミ放熱フレーム５はアルミ板なので、同じくよりよい放熱效果が得られる。
上述は、本発明の好適な実施形態について説明する内容のみであり、本発明の特許請求の範囲に該当する構造、特徴や原理に基づいて行った変化や改造は、いずれも、本発明の特許請求の範囲に属するものとする。
【符号の説明】
【００１３】
１    オス型口金
２    筐体
３    ライト板
４    ＰＩＲセンサー
５    アルミ放熱フレーム
【図１】
2012134062.tif 000003
【図２】
2012134062.tif 000004